(57)【要約】【課題】受信した放送に緊急警報放送が含まれている場合、データ通信による放送の補完によるバッテリーの消費や通信チャネルの輻輳に加担することを防ぐ放送受信装置、放送受信方法及びプログラムを提供する。【解決手段】チューナ部１２が放送信号を受信し、主制御部２５の緊急警報放送判別手段３１に送り、緊急警報放送が含まれているかを判別する。主制御部２５の緊急警報放送判別手段３１が判別した結果、緊急警報放送が含まれている場合、緊急警報放送制御手段３２が緊急警報放送の情報に基づいて緊急警報放送の処理を行う。さらに、緊急警報放送判別手段３１の判別結果により、データ通信補完制御手段３４は、データ通信による放送の補間処理を停止する。緊急警報放送判別手段３１が通常状態に復帰したどうかを判別し、通常状態に復帰していなければ、緊急警報放送処理を続ける。【選択図】図２
2013239932.tif 000002
【特許請求の範囲】
【請求項１】
緊急警報放送を受信して報知する放送受信装置であって、
受信した放送信号に緊急警報放送が含まれているかを判別する緊急警報放送判別手段と、
緊急警報放送が含まれている場合にデータ通信による放送信号の補完の処理を停止するデータ通信補完制御手段と、
を備えることを特徴とする放送受信装置。
【請求項２】
前記緊急警報放送判別手段は、緊急警報放送があると判別したときから、所定の時間後に通常放送に戻ると判別し、
前記データ通信補完制御手段は、前記緊急警報放送判別手段が通常放送に戻ると判別した場合に、データ通信による放送信号の補完の処理を行うことを特徴とする請求項１に記載の放送受信装置。
【請求項３】
前記緊急警報放送判別手段は、緊急警報放送が含まれているかの判別を、所定時間毎に行い、
前記データ通信補完制御手段は、前記緊急警報放送判別手段が緊急警報放送を含まない通常放送であると判別した場合に、データ通信による放送信号の補完の処理を、次の前記緊急警報放送判別手段による判別で通常放送であると判別した時に行うことを特徴とする請求項１に記載の放送受信装置。
【請求項４】
緊急警報放送を受信して報知する放送受信方法であって、
受信した放送信号に緊急警報放送が含まれているかを判別する緊急警報放送判別ステップと、
緊急警報放送が含まれている場合にデータ通信による放送補完の処理を停止するデータ通信補完制御ステップと、
を備えることを特徴とする放送受信方法。
【請求項５】
コンピュータに、請求項４に記載の放送受信方法の各手順を実行させるためのプログラム。
【発明の詳細な説明】
【技術分野】
【０００１】
本発明は、緊急警報放送を受信可能な放送受信装置、放送受信方法及びプログラムに関する。
【背景技術】
【０００２】
地上波デジタル放送の放送局においては、地震や津波などの災害発生時に、災害情報を伝える緊急警報放送を送信する。地上デジタル放送波からＡＣ（Ａｕｘｉｌｉａｒｙ
Ｃｈａｎｎｅｌ）信号又はＴＭＣＣ（Ｔｒａｎｓｍｉｓｓｉｏｎ ａｎｄ  Ｍｕｌｔｉｐｌｅｘｉｎｇ  Ｃｏｎｆｉｇｕｒａｔｉｏｎ  Ｃｏｎｔｒｏｌ）信号を受信する放送受信機は、放送波の受信中にこれらの信号を受信・抽出し、規定されている緊急地震速報等の情報が含まれている場合には、放送受信機に備えられている警告手段によって警告音を鳴らす、あるいはＴＶアプリを起動して文字スーパーにより地震速報を表示するなどして、ユーザに緊急性の高い情報を提示する。
【０００３】
特許文献１には、緊急警報を放送していない地上波デジタル放送のチャンネルを受信していても、他の複数チャンネルの中に緊急警報放送が含まれていれば、緊急警報を報知する受信システムが記載されている。
【先行技術文献】
【特許文献】
【０００４】
【特許文献１】特開２００９−２７２９４９号公報
【発明の概要】
【発明が解決しようとする課題】
【０００５】
地上デジタル放送ＩＳＤＢ−Ｔ（Ｔ（Ｉｎｔｅｇｒａｔｅｄ  Ｓｅｒｖｉｃｅｓ  Ｄｉｇｉｔａｌ  Ｂｒｏａｄｃａｓｔｉｎｇ−Ｔｅｒｒｅｓｔｒｉａｌ）の規格を拡張したマルチメディア放送方式ＩＳＤＢ−Ｔｍｍが携帯端末向けに開始される。本放送方式では通常、１６ＱＡＭの変調方式によって番組などが放送される予定であるが、緊急時にはＱＰＳＫの変調方式に放送方式を変更し、ノイズ耐性を高めることによって、送出局からの放送が受信可能なエリアを広げ、より多くの端末で緊急情報を伝達する運用が検討されている。
【０００６】
一方、マルチメディア放送に対応する携帯端末は、放送波の一部を受信し損ねた場合に通信によって放送内容を補完し、端末に蓄積・再生する機能も備えている。通常時にはユーザが番組表などから蓄積予約を行ない、タイマによりこの機能が発動してデータ通信をするが、緊急時には上述のように送出側が放送方式（ひいては番組予定）を変更するため、緊急警報放送中に放送内容補完のためのデータ通信が発動すると、携帯端末のバッテリーを無駄に消費、また通信チャネルの輻輳に加担してしまうことになる。特許文献１の技術には、この対応策については全く記載がなく、対応できない。
【０００７】
本発明は、斯かる実情に鑑み、受信した放送に緊急警報放送が含まれている場合、データ通信による放送の補完によるバッテリーの消費や通信チャネルの輻輳に加担することを防ぐ放送受信装置、放送受信方法及びプログラムを提供しようとするものである。
【課題を解決するための手段】
【０００８】
本発明は、緊急警報放送を受信して報知する放送受信装置であって、
受信した放送信号に緊急警報放送が含まれているかを判別する緊急警報放送判別手段と、緊急警報放送が含まれている場合にデータ通信による放送信号の補完の処理を停止するデータ通信補完制御手段と、を備えることを特徴とする。
【０００９】
前記緊急警報放送判別手段は、緊急警報放送があると判別したときから、所定の時間後に通常放送に戻ると判別し、前記データ通信補完制御手段は、前記緊急警報放送判別手段が通常放送に戻ると判別した場合に、データ通信による放送信号の補完の処理を行うことを特徴とする。
【００１０】
また、前記緊急警報放送判別手段は、緊急警報放送が含まれているかの判別を、所定時間毎に行い、前記データ通信補完制御手段は、前記緊急警報放送判別手段が緊急警報放送を含まない通常放送である判別した場合に、データ通信による放送信号の補完の処理を、次の前記緊急警報放送判別手段による判別で通常放送であると判別した時に行うことを特徴とする。
【００１１】
また、本発明は、緊急警報放送を受信して報知する放送受信方法であって、
受信した放送信号に緊急警報放送が含まれているかを判別する緊急警報放送判別ステップと、緊急警報放送が含まれている場合にデータ通信による放送補完の処理を停止するデータ通信補完制御ステップと、を備えることを特徴とする。
【００１２】
また、本発明は、コンピュータに、前記放送受信方法の各手順を実行させるためのプログラムである。
【発明の効果】
【００１３】
本発明によれば、緊急警報放送がある場合は、データ通信による放送内容の補完処理を停止することにより、緊急時における携帯端末の無駄なバッテリー消費を避け、通信チャネルの輻輳にも加担しないよう抑制することができる。
【図面の簡単な説明】
【００１４】
【図１】本発明に係る放送受信装置の構成の一例を示すブロック図である。
【図２】主制御部の構成の一例を示すブロック図である。
【図３】緊急地震速報を表示するスマートフォンの外観図である。
【図４】放送受信装置が緊急警報放送を受信した場合の動作を示すフローチャートである。
【図５】ＴＭＣＣ信号の割り当てビットを示す表である。
【発明を実施するための形態】
【００１５】
以下、本発明の実施の形態を添付図面を参照して説明する。
図１は、本発明に係る放送受信装置の構成の一例を示すブロック図である。
図１に示すように、放送受信装置１０は、例えば携帯端末装置であるスマートフォンであり、アンテナ１１、チューナ部１２、入力部１３、データ格納部１４、表示部１５、スピーカ１６、イヤホン出力部１７、ブルートゥース（ＢＴ）出力部１８、ＴＳ（Ｔｒａｎｓｐｏｒｔ  Ｓｔｒｅａｍ）記憶部１９、ＴＳ分離部２０、映像デコード部２１、音声デコード部２２、録画制御部２３、再生制御部２４、主制御部２５を備える。
【００１６】
アンテナ１１は、マルチメディア放送などのデジタル放送を受信するアンテナである。
チューナ部１２は、アンテナ１１が受信したデジタル放送からユーザにより指定された放送局の周波数を選択し、その周波数で放送されたデジタル放送のＴＳを出力するチューナである。このときに、ＡＣ信号やＴＭＣＣ信号を抽出する。
入力部１３は、ボタンやタッチパネル、キーボードなど、ユーザからの情報の入力操作を受け付ける入力デバイスである。
【００１７】
表示部１５は、デジタル放送の映像やデータ放送のデータ、ユーザに提供する情報などを表示する液晶ディスプレイなどの表示デバイスである。
スピーカ１６は、デジタル放送の音声などを出力するスピーカである。
イヤホン出力部１７は、デジタル放送の音声などをイヤホンジャックを介して出力する処理部である。
ブルートゥース出力部１８は、デジタル放送の音声などをブルートゥース通信により他の装置に出力する処理部である。
【００１８】
データ格納部１４及びＴＳ記憶部１９は、不揮発性メモリやハードディスク装置などの記憶デバイスである。
データ格納部１４は、放送される番組やコンテンツの案内情報（例えば、ＥＰＧやＥＣＧ（以下、番組／コンテンツ案内情報と呼ぶ。）などの、デジタル放送を受信することにより得られた情報や、ユーザが入力部１３を介して設定した情報、連結ＯＦＤＭセグメント情報などを記憶する。ここで、連結ＯＦＤＭセグメント情報とは、連結ＯＦＤＭセグメントに含まれるセグメントのうち、番組／コンテンツ案内情報の放送に用いられるセグメントの情報である。
ＴＳ記憶部１９は、デジタル放送のＴＳ（Ｔｒａｎｓｐｏｒｔ  Ｓｔｒｅａｍ）を記憶する。
【００１９】
ＴＳ分離部２０は、デジタル放送のＴＳを映像信号と音声信号に分離する。
映像デコード部２１は、ＴＳ分離部２０で分離された符号化された映像信号を復号する。
音声デコード部２２は、ＴＳ分離部２０で分離された符号化された音声信号を復号する。
録画制御部２３は、チューナ部１２からで抽出されたデジタル放送のＴＳをＴＳ記憶部１９に記憶させる制御を行う。
再生制御部２４は、ＴＳ記憶部１９に記憶されているＴＳを読み出して再生のためにＴＳ分離部２０に出力する。
主制御部２５は、各部を統括制御している。
【００２０】
図２は、主制御部２５の構成の一例を示すブロック図である。
主制御部２５は、チューナ部１２で通常放送を受信している場合と、緊急警報放送を受信した場合とで制御を行うために、緊急警報放送判別手段３１、緊急警報放送制御手段３２、通常放送制御手段３３、データ通信補完制御手段３４を備える。
【００２１】
緊急警報放送判別手段３１は、チューナ１２からの信号に緊急地震速報などの緊急警報放送が有るかを判別する。
緊急警報放送制御手段３２は、緊急警報放送を受信した場合は、緊急警報放送がある旨と、その情報を報知するために、表示部１５とスピーカ１６を制御する。図３に緊急警報放送を受信したスマートフォンの例を示す。表示部１５に「緊急地震速報」４１を大きく表示し、さらに地震発生場所、予想震度、到達時刻などの情報４２を表示する。更に、スピーカ１６に緊急警報放送を示すブザー音などを出力させる。
通常放送制御手段３３は、緊急警報放送がない場合の通常放送の制御を行う。
【００２２】
データ通信補完制御手段３４は、放送波の一部を受信損ねた場合に備えてデータ通信により放送内容を補完するデータを得て、データ格納部１４にそのデータを蓄積し、必要な時に再生する制御を行う。緊急警報放送判別手段３１により、チューナ部１２が受信した放送に、緊急警報放送が含まれていると判別された場合には、データ通信による補間処理は停止する。
【００２３】
＜緊急警報放送を受信した場合の全体動作＞
次に、図４のフローチャートを用いて、放送受信装置が緊急警報放送を受信した場合の動作について説明する。
【００２４】
チューナ部１２が放送信号を受信し（ステップＳ１１）、主制御部２５の緊急警報放送判別手段３１に送り、緊急警報放送が含まれているかを判別する（ステップＳ１２）。主制御部２５の緊急警報放送判別手段３１が判別した結果、緊急警報放送が含まれている場合、緊急警報放送制御手段３２が緊急警報放送の情報に基づいて緊急警報放送の処理を行う（ステップＳ１３）。さらに、緊急警報放送判別手段３１の判別結果により、データ通信補完制御手段３４は、データ通信による放送の補間処理を停止する（ステップＳ１４）。
【００２５】
緊急警報放送判別手段３１が通常状態に復帰したどうかを判別し（ステップＳ１５）、通常状態に復帰していなければ、ステップＳ１３に戻り、緊急警報放送処理を続ける。
【００２６】
ステップＳ１２において、緊急警報放送判別手段３１が緊急警報放送が含まれていないと判別した場合、あるいはステップＳ１５にて、通常状態に復帰したと判別した場合、通常放送として通常放送制御手段３３が制御を行う（ステップＳ１６）。データ通信補完制御手段３４は、データ通信による放送の補完の処理を行う（ステップＳ１７）。
【００２７】
こうして、データ通信による放送内容の補完処理を停止することにより、緊急警報放送時における携帯端末などの放送受信装置の無駄なバッテリー消費を避け、通信チャネルの輻輳にも加担しないよう抑制することができる。
【００２８】
＜緊急警報放送の判別（ステップＳ１２）＞
緊急警報放送が受信放送信号に含まれていると判別する例を以下に述べる。
【００２９】
（１）ＡＣ信号による判別
放送局は、地上デジタル放送の部分受信セグメント内にあるＡＣ信号に、緊急警報放送の情報（緊急警報放送の起動フラグ、地震発生時刻、地震発生場所、震源の深さ、等の情報）を多重化して伝送する。緊急警報放送判別手段３１は、チューナ部１２により抽出されたＡＣ信号により、ＡＣ信号に緊急警報の情報が発令されているかを確認することにより判別する。
【００３０】
（２）ＴＭＣＣ信号による判別
チューナ部１２により受信した放送波からＴＭＣＣ信号を抽出し、緊急警報放送判別手段３１はＴＭＣＣ信号の緊急警報放送起動フラグを確認する。起動フラグが１であれば緊急警報放送があると判別する。この場合は、タイマにより所定時間を計っておいて、所定時間毎にくり返し判別処理を行う。
【００３１】
（３）変調方式が１６ＱＡＭの変調方式かＱＰＳＫかによる判別
チューナ部１２により、放送波の変調方式を検出する。緊急警報放送判別手段３１は、変調方式が通常時の放送に使われる１６ＱＡＭであれば通常放送と判断するが、緊急時に使われる（と想定される）ＱＰＳＫであれば緊急警報放送と判別する。
【００３２】
変調方式は図５に示すように、ＴＭＣＣ信号の割り当てビット（カレント情報のＡ階層の変調方式）から確認することができる。この場合も、タイマにより所定時間を計っておいて、所定時間毎にくり返し判別処理を行う。
【００３３】
放送波をアンテナ１１で受信し、チューナ部１２で復調すると、ＴＭＣＣ情報はチューナ部１２で保持される。主制御部２５はチューナ部１２のＴＭＣＣ信号のビットが格納されているレジスタを読み出すことで現在受信中の放送波の変調方式を知ることができるため、上記緊急時に使われる（と想定される）ＱＰＳＫであれば緊急時と判断する。
【００３４】
緊急警報放送判別手段３１が、緊急警報放送があると判別すれば、放送受信装置１０のあるフラグを設定するよう制御を行なう。データ通信補完制御手段３４は、データタイマなどにより放送内容の補完のためのデータ通信が発動する際にこのフラグの状態を確認し、緊急状態（通信チャネルが混雑・輻輳している）と予想される場合には、このデータ通信を制限（停止）し、端末のバッテリー消費を抑制する。
【００３５】
＜通常放送への復帰判別（ステップＳ１５）＞
次に、緊急警報放送から通常放送に復帰したことを判別する例を説明する。
【００３６】
（１）一定時間後に通常放送に復帰
ＡＣ信号に含まれる緊急地震速報通知により緊急状態と判別した場合において、設定したフラグを解除するタイマを併せて設定しておく。タイマにより一定時間（数時間）経過後に自動的に上記フラグを解除し、通常状態に復帰したと判別する。従って、ステップＳ１６に進み、ステップＳ１７では、この状態でデータ通信による放送波の補完が発動すれば、データ通信の制限は行なわない。
【００３７】
（２）ＴＭＣＣ信号による判別
緊急警報放送判別手段３１は、チューナ部１２が放送波から抽出したＴＭＣＣ信号の緊急警報放送起動フラグを確認し、同フラグが解除されていれば、通常放送が復帰したと判別する。この場合は、タイマにより所定時間を計っておいて、所定時間毎にくり返し判別処理を行う。
【００３８】
（３）変調方式による判別
緊急警報放送判別手段３１は、チューナ部１２が検出した放送波の変調方式を確認し、変調方式が通常時の放送に使われる１６ＱＡＭであれば通常放送と判別する。
変調方式は図５に示すように、ＴＭＣＣ信号の割り当てビット（カレント情報のＡ階層の変調方式）から確認することができる。この場合も、タイマにより所定時間を計っておいて、所定時間毎にくり返し判別処理を行う。
【００３９】
＜データ通信よる補間処理の実行時期（ステップＳ１７）＞
次に、データ通信による補間処理の実行時期について説明する。
【００４０】
（１）通常時に変わった場合に補完処理。
所定時間経過後に通常放送に復帰するように設定されている場合は、通常放送に復帰した時点で、補完のためのデータ通信を再開させる。
【００４１】
（２）次のイベント（時刻等）の時に補間処理
所定時間毎に緊急警報放送を判別するイベントが発動する場合は、緊急警報放送がなく通常放送であると判別すると、通常放送を受信しはじめ、次の緊急警報放送を判別するイベントの時点で通常放送と判別された時にデータ通信による補完処理を再開させる。
【００４２】
なお、振動部は端末全体を振動させるものでも一部を振動させるものでもよい。上記の実施の形態において、添付図面に図示されている構成等については、これらに限定されるものではなく、本発明の効果を発揮する範囲内で適宜変更することが可能である。その他、本発明の目的の範囲を逸脱しない限りにおいて適宜変更して実施することが可能である。
【００４３】
また、本実施の形態で説明した機能を実現するためのプログラムをコンピュータ読み取り可能な記録媒体に記録して、この記録媒体に記録されたプログラムをコンピュータシステムに読み込ませ、実行することにより各部の処理を行ってもよい。尚、ここでいう「コンピュータシステム」とは、ＯＳや周辺機器等のハードウェアを含むものとする。
【符号の説明】
【００４４】
１０  放送受信装置
１１  アンテナ
１２  チューナ部
１３  入力部
１４  データ格納部
１５  表示部
１６  スピーカ
１７  イヤホン出力部
１８  出力部
１８  ブルートゥース出力部
１９  ＴＳ記憶部
２０  ＴＳ分離部
２１  映像デコード部
２２  音声デコード部
２３  録画制御部
２４  再生制御部
２５  主制御部
３１  緊急警報放送判別手段
３２  緊急警報放送制御手段
３３  通常放送制御手段
３４  データ通信補完制御手段
【図１】
2013239932.tif 000003
【図２】
2013239932.tif 000004
【図３】
2013239932.tif 000005
【図４】
2013239932.tif 000006
【図５】
2013239932.tif 000007